(57)【要約】【課題】温度により自由曲げ径が可変出来るように吊り点位置を移動可能とし、安定したケーブルの特性をうることで、昇降路機器や建物建造物との接触または引っ掛かり等を防止できるエレベータの移動ケーブル吊持装置を得る。【解決手段】昇降路１に沿って上下するかご３の下部に設けられ、一端部が昇降路１に取り付けられている移動ケーブル４の他端部を、かご３の昇降位置に対応して、移動ケーブルの一端部が取り付けられた昇降路側と接離する方向へ移動させる移動装置５を備えたエレベータの移動ケーブル吊持装置において、移動ケーブル４の他端部の、移動装置５に含まれる吊手レール９に対する吊り点位置を、昇降路１内の温度に応じて移動する吊り点位置設定手段１３，１６，１７を備える。【選択図】        図１
2004359393.tif 000002
【特許請求の範囲】
【請求項１】
昇降路に沿って上下するかごの下部に設けられ、一端部が上記昇降路に取り付けられている移動ケーブルの他端部を、上記かごの昇降位置に対応して、上記移動ケーブルの一端部が取り付けられた昇降路側と接離する方向へ移動させる移動装置を備えたエレベータの移動ケーブル吊持装置において、
上記移動ケーブルの他端部の、上記移動装置に含まれる吊手レールに対する吊り点位置を、上記昇降路内の温度に応じて移動する吊り点位置設定手段を備えたことを特徴とするエレベータの移動ケーブル吊持装置。
【請求項２】
上記吊り点位置設定手段は、上記昇降路内の温度を検出する温度検出手段と、上記移動ケーブルの他端部を移動させる上記移動装置内の電動機の回転を検出する回転検出手段と、上記温度検出手段と上記回転検出手段の出力に基づいて上記移動ケーブルの他端部の吊り点位置を設定する制御手段とを有することを特徴とする請求項１記載のエレベータの移動ケーブル吊持装置。
【請求項３】
上記吊り手レールに温度に対応した吊り位置を明記した指示名板を設け、季節毎または月毎に上記吊り位置を変えるようにしたことを特徴とする請求項１記載のエレベータの移動ケーブル吊持装置。
【請求項４】
昇降路に沿って上下するかごの下部に設けられ、一端部が上記昇降路に取り付けられている移動ケーブルの他端部を、上記かごの昇降位置に対応して、上記かごの開口方向へ移動させる移動装置を備えたエレベータの移動ケーブル吊持装置において、
上記移動ケーブルをダクト内に納め、該ダクト内を一定温度に保持する温度保持手段を設けたことを特徴とするエレベータの移動ケーブル吊持装置。
【発明の詳細な説明】
【０００１】
【発明の属する利用分野】
この発明は、エレベータの移動ケーブル吊持装置に関し、特に、エレベータに用いられる移動ケーブルの曲げ特性を安定にするエレベータの移動ケーブル吊持装置に関するものである。
【０００２】
【従来の技術】
通常、エレベータの移動ケーブルは、かごと制御盤間の電力および信号の授受のために用いられるケーブルであり、移動ケーブルの一端はかご下の吊り具によって固定されている。そして、移動ケーブルは、自然に曲げたときに無理なく曲げられる直径（自由曲げ径）分だけ離して、他端の昇降路の吊り具に固定されている。そして、この移動ケーブルは、エレベータのかごの昇降に伴って、その曲げられた箇所が随時変化しながら上下する。
ところで、エレベータの移動ケーブルは、温度によってもその自由曲げ径が変化するので、設置場所の温度等を考慮してケーブルの吊り点を設定している。（例えば、特許文献１参照）。
【０００３】
【特許文献１】
特開２００１−３１６０５９号公報
【０００４】
【発明が解決しようとする課題】
ところが、上記のような従来のエレベータの移動ケーブル吊持装置の場合には、ケーブルの吊り点が一定のため、設置場所の温度変化によりケーブルの特性が変化する。このことによりケーブルに悪影響を与え、強いてはケーブルの寿命を短くすると同時にケーブル特性が悪くなり、昇降路内の機器や建物建造物と接触または引っ掛かる等の可能性が高くなるというという問題点があった。
【０００５】
この発明は、上記のような問題点を解消するためになされたものであり、温度により自由曲げ径が可変出来るように吊り点位置を自動または手動で移動可能とし、安定したケーブルの特性をうることで、昇降路内の機器や建物建造物の接触または引っ掛かり等を防止できるエレベータの移動ケーブル吊持装置を提供することを目的とする。
また、温度変化が発生しないようにダクト内を一定温度に保ち、温度変化に左右されない安定したケーブルの特性をうることで、昇降路内の機器や建物建造物との接触または引っ掛かり等を防止できるエレベータの移動ケーブル吊持装置を提供することを目的とする。
【０００６】
【課題を解決するための手段】
この発明に係るエレベータの移動ケーブル吊持装置は、移動ケーブルの他端部の、移動装置に含まれる吊手レールに対する吊り点位置を、昇降路内の温度に応じて移動する吊り点位置設定手段を備えたものである。
【０００７】
【発明の実施の形態】
以下、この発明の実施の形態を、図に基づいて説明する。
実施の形態１．
図１は、この発明の実施の形態１によるエレベータの移動ケーブル吊持装置を示す構成図、図２は図１のエレベータのかごが最下階に位置するときの状態を示す構成図である。
図において、昇降路１（図２）の側壁に沿ってかご側ガイドレール２が設けられ、昇降路１内を上下するかご３の側面の上下にそれぞれ滑り子３ａが固定されており、かご３の上下動時に滑り子３ａはガイドレール２により案内される。移動ケーブル４はかご３と制御盤（図示せず）間の電力および信号の授受を行うもので、その一端がかご下枠７の下部に設置された移動装置５内の吊り手レール９を移動可能な摺動部材８に固定され、その他端が図２に示すように、昇降路側のケーブル吊手６に取り付けられ、つなぎ箱１８を介して機械室に設置された制御盤（図示せず）に接続される。
【０００８】
かご下枠７の下部にかご３の奥行き方向へ向けて互いに平行に一対の支持金具８がボルト止めされている。また、一対の支持金具８の間にかご３の開口方向へ向けて互いに平行に２本吊手レール９が固着されている。
【０００９】
摺動部材１０の上部に駆動腕１１が固定され、支持金具８に電動機１２が取り付けられ、この電動機１２はかご下枠７の下部に設けられた制御装置１３からの信号により回転速度および回転方向が制御される。一対の支持金具８の間に軸を中心に回転可能に雄ねじ棒１４が設けられ、この雄ねじ棒１４は電動機１２に直結されている。吊手レール９に沿って摺動可能な摺動部材１０は、電動機１２に直結された雄ねじ棒１４と連結されており、雄ねじ棒１４の回転により移動する。また、この雄ねじ棒１４の中間部は駆動腕１１の雄ねじ（図示せず）に螺合している。支持金具８に軸受１５が固着され、雄ねじ棒１４の両端部を支持する。
【００１０】
また、かご下枠７の下部に昇降路１内の温度を検出する温度検出手段としての温度センサ１６が設けられ、電動機１２にその回転を検出する回転検出手段としてのエンコーダ１７が取り付けられ、温度センサ１６とエンコーダ１７の出力が制御手段としての制御装置１３に供給されるようになされている。制御装置１３が温度センサ１６とエンコーダ１７からの出力に基づいて移動装置５内の電動機１２を駆動して雄ねじ棒１４を回転させ、摺動部材１０を移動させる、つまり、吊手レール９に対する移動ケーブル４の吊り点位置を昇降路１内の温度に応じて移動することにより、温度に対応した移動ケーブル４の自由曲げ径を自動的に設定し、移動ケーブル４の動特性を最適な状態に保つことができる。
【００１１】
なお、移動装置５は、吊り手レール９、摺動部材１０、駆動腕１１、電動機１２、雄ねじ棒１４および軸受１５からなり、制御装置１３、温度センサ１６およびエンコーダ１７は吊り点位置設定手段を構成する。
【００１２】
次に、動作について説明する。
図に示すように、昇降路１内を昇降するかご３と昇降路１の間に、移動ケーブル４が懸垂されているが、この移動ケーブル４は、かご３の下の摺動部材１０に固定され、無理なく曲げられる直径（自由曲げ径）になるように懸垂される。ところが、移動ケーブル４の場合、上述の如く設置場所の温度変化によりその特性が変化するため、昇降路１内の機器や建物建造物と接触または引っ掛かる等の可能性がある。
【００１３】
そこで、本実施の形態では、一例として下記の表１に示されている移動ケーブル４の自由曲げ径Ｌの寸法を確保するために、温度センサ１６で検出した昇降路１内の温度データと、電動機１２に取り付けられたエンコーダ１７で検出した電動機１２の回転の情報を制御装置１３に取り込み、このときの制御装置１３からの出力信号に基づき、移動ケーブル４の曲げ径が、常にそのときの温度に対応した自由曲げ径Ｌとなるように、電動機１２を駆動し、雄ねじ棒１４を回転させて摺動部材１０を移動させ、吊手レール９に対する移動ケーブル４の吊り点位置を設定する。このとき、自由曲げ径Ｌと温度との関係は、一例として下記の表１の如き情報を予め比較情報として制御装置１３内のメモリ（図示せず）に設定しておく。表１からも分かるように、移動ケーブル４の自由曲げ径Ｌは、温度が低いほど大きく、温度が高くなるほど小さくなる。
【００１４】
【表１】
2004359393.tif 000003
【００１５】
例えば、昇降路１内の温度が２０℃の常温の場合、自由曲げ径Ｌの値が４００ｃｍになるように、電動機１２を駆動し、雄ねじ棒１４を回転させて摺動部材１０を移動させ、吊手レール９に対する移動ケーブル４の吊り点の位置を設定し、昇降路１内の温度が常温より低くなって５℃になった場合には、自由曲げ径Ｌの値が５００ｃｍになるように、電動機１２を駆動し、雄ねじ棒１４を回転させて摺動部材１０を移動させ、吊手レール９に対する移動ケーブル４の吊り点の位置を変更し、逆に、昇降路１内の温度が常温より高くなって３０℃になった場合には、自由曲げ径Ｌの値が３００ｃｍになるように、電動機１２を駆動し、雄ねじ棒１４を回転させて摺動部材１０を移動させ、吊手レール９に対する移動ケーブル４の吊り点の位置を変更する。
【００１６】
これにより、温度の変化に応じて自由曲げ径を可変出来るように移動ケーブル４の吊り点位置を自動的に移動することで、昇降路１内の機器や建物建造物と接触または引っ掛かること等が防止される。
【００１７】
このようにして、本実施の形態では、温度センサとエンコーダからの情報に基づいて温度に対応した移動ケーブルの自由曲げ径を自動的に設定することができるので、移動ケーブルの動特性を最適にすることができ、昇降路機器や建物建造物との接触または引っ掛かり等が防止できる。
【００１８】
実施の形態２．
図３は、この発明の実施の形態２によるエレベータの移動ケーブル吊持装置を示す構成図、図４はこの発明の実施の形態２によるエレベータの移動ケーブル吊持装置で用いられる指示名板である。なお、図３、図４において、図１と対応する部分には同一符号を付し、その詳細説明を省略する。
図において、一対の支持金具８の一方に、電動機１２により駆動制御され回転する第１の滑車２０を設け、また、一対の支持金具８の他方に、回転自在に第２の滑車２１を設け、これら第１および第２の滑車２０、２１の間に、駆動腕１１に固着された連動ロープ２２を巻き掛ける。そして、上記表１に示す温度に対応する摺動部材１０の位置を明記した指示名板２３（図４）を吊り手レール９の上面に取り付ける。この実施の形態２では、移動装置５は、吊り手レール９、摺動部材１０、駆動腕１１、電動機１２、第１および第２の滑車２０、２１および連動ロープ２２からなっている。
【００１９】
指示名板２３は、図４に示すように、一例として、５℃、１０℃、１５℃、２０℃、２５℃、および３０℃が明記されており、季節毎または月毎に平均温度を設定して指示名板２３に記入してある温度に摺動部材１０を合わせる。なお、摺動部材１０の位置が移動しないように固定ボルト２４で固定する吊手レール９に、指示名板２３に合わせて固定ネジ２５を設けておく。
【００２０】
このようにして、本実施の形態では、温度に対応した摺動部材の位置、つまり移動ケーブルの吊り点位置を明記した指示名板を設け、季節毎または月毎に手動で吊り点位置を変えるようにしたので、廉価な構成で、上記実施の形態１と同様に、昇降路機器や建物建造物との接触または引っ掛かり等が防止できる。
【００２１】
実施の形態３．
図５は、この発明の実施の形態３によるエレベータの移動ケーブル吊持装置の要部を示す構成図である。なお、本実施の形態でも、上記実施の形態１または２で説明した移動装置と同様の移動装置を備えるものであるが、ここではその記載を省略している。
本実施の形態では、寒くなり移動ケーブル４が硬化して曲げ径が大きくならないように、移動ケーブル４をダクト３０内に納め、ダクト３０内に設けた温度保持手段としてのヒータ３１によりそのダクト３０内を一定温度（ケーブル特性が最適な温度）に保つようにする。これにより、移動ケーブル４の自由曲げ径が変化しないようにすることができる。
【００２２】
このようにして、本実施の形態では、ダクト内に移動ケーブルを納めてヒータによりダクト内を一定温度に保つことで、移動ケーブルの自由曲げ径が変化しないようにすることができ、昇降路機器や建物建造物との接触または引っ掛かり等が防止できる。
【００２３】
実施の形態４．
図６は、この発明の実施の形態４によるエレベータの移動ケーブル吊持装置の要部を示す構成図である。なお、本実施の形態でも、上記実施の形態１または２で説明した移動装置と同様の移動装置を備えるものであるが、ここではその記載を省略している。
本実施の形態では、寒くなり移動ケーブル４が硬化して曲げ径が大きくならないように、移動ケーブル４をダクト３０内に納め、そして、ダクト３０の外部に設けた温度保持手段としての温風吹出機３２によりダクト３０内に温風を吹き込んでダクト３０内を一定温度（ケーブル特性が最適な温度）に保つようにする。これにより、移動ケーブル４の自由曲げ径が変化しないようにすることができる。
【００２４】
このようにして、本実施の形態では、ダクト内に移動ケーブルを納めて温風吹出機によりダクト内に温風を吹き込んでダクト内を一定温度に保つことで、移動ケーブルの自由曲げ径が変化しないようにすることができ、昇降路機器や建物建造物との接触または引っ掛かり等が防止できる。
【００２５】
【発明の効果】
以上説明したように、この発明によれば、移動ケーブルの他端部の、移動装置に含まれる吊手レールに対する吊り点位置を、昇降路内の温度に応じて移動する吊り点位置設定手段を備えたので、温度により自由曲げ径が可変出来るように吊り点位置を移動可能とし、安定したケーブルの特性をうることで、昇降路機器や建物建造物との接触または引っ掛かり等を防止できるができるという効果がある。
【図面の簡単な説明】
【図１】この発明の実施の形態１よるエレベータの移動ケーブル吊持装置を示す構成図である。
【図２】この発明の実施の形態１よるエレベータの移動ケーブル吊持装置の一部を示す構成図である。
【図３】この発明の実施の形態２よるエレベータの移動ケーブル吊持装置を示す構成図である。
【図４】この発明の実施の形態２よるエレベータの移動ケーブル吊持装置の要部を示す構成図である。
【図５】この発明の実施の形態３よるエレベータの移動ケーブル吊持装置を示す構成図である。
【図６】この発明の実施の形態４よるエレベータの移動ケーブル吊持装置を示す構成図である。
【符号の説明】
１  昇降路、  ４  移動ケーブル、  ５  移動装置、  ８  支持金具、  ９  吊り手レール、  １０  摺動部材、  １１  駆動腕、  １２  電動機、  １３  制御装置、  １６  温度センサ、  １７  エンコーダ、  ２３  指示名板、  ３０  ダクト、  ３１  ヒータ、  ３２  温風吹出機。
【図１】
2004359393.tif 000004
【図２】
2004359393.tif 000005
【図３】
2004359393.tif 000006
【図４】
2004359393.tif 000007
【図５】
2004359393.tif 000008
【図６】
2004359393.tif 000009